(57)【要約】【課題】  表示画面の情報提供の要求が増大した場合でも、処理の負荷を低減し、多くの一般ユーザに情報提供を行うことを可能とする。【解決手段】  表示画面情報提供部１３は、リクエストの受信回数が所定の閾値を超過しない場合、表示画面作成部１２がリクエストの条件に応じて新たに作成した新規作成表示画面情報を端末装置５に送信し、一方、リクエストの受信回数が所定の閾値を超過している場合、表示画面作成部１２が過去に作成した作成済表示画面情報を端末装置５に送信する。【選択図】  図１
2013205997.tif 000002
【特許請求の範囲】
【請求項１】
端末装置に対して防災情報の表示画面情報を提供するデータ提供装置において、
前記防災情報を記憶する記憶部と、
前記記憶部に記憶された前記防災情報に基づいて表示画面情報を作成する表示画面作成
部と、
前記端末装置からの前記表示画面情報の提供を要求するリクエストを受信する通信部と
、
前記通信部による前記リクエストの受信回数をカウントし、前記リクエストの受信回数
が所定の閾値を超過したか否かを判断する計測部と、
前記通信部により前記リクエストが受信された際、前記リクエストに応じて前記表示画
面情報を提供する表示画面情報提供部とを備え、
前記表示画面情報提供部は、前記計数部により前記リクエストの受信回数が所定の閾値
を超過しないと判断された場合、前記表示画面作成部により前記リクエストの条件に応じ
て新たに作成された新規作成表示画面情報を前記端末装置に送信し、一方、前記計数部に
より前記リクエストの受信回数が所定の閾値を超過していると判断された場合、前記表示
画面作成部により過去に作成された作成済表示画面情報を前記端末装置に送信すること
を特徴とするデータ提供装置。
【請求項２】
前記表示画面作成部は、所定時間毎に表示画面情報を作成し、
前記記憶部は、前記表示画面作成部にて作成された前記表示画面情報を、作成済表示画
面情報として記憶し、
前記表示画面情報提供部は、前記計数部により前記リクエストの受信回数が所定の閾値
を超過していると判断された場合、前記記憶部から前記作成済表示画面情報を取得し、前
記端末装置に送信すること
を特徴とする請求項１記載のデータ提供装置。
【請求項３】
端末装置に対して防災情報の表示画面情報を提供する
データ提供方法において、
前記防災情報を記憶する記憶ステップと、
前記記憶ステップにより記憶された前記防災情報に基づいて表示画面情報を作成する表
示画面情報作成ステップと、
前記端末装置からの前記表示画面情報の提供を要求するリクエストを受信する受信ステ
ップと、
前記受信ステップによる前記リクエストの受信回数をカウントし、前記リクエストの受
信回数が所定の閾値を超過したか否かを判断する判断ステップと、
前記受信ステップにより前記リクエストが受信された際、前記判断ステップにより前記
リクエストの受信回数が所定の閾値を超過しないと判断された場合、前記表示画面作成ス
テップにて前記リクエストの条件に応じて新たに作成された新規作成表示画面情報を前記
端末装置に送信し、一方、前記判断ステップにより前記リクエストの受信回数が所定の閾
値を超過していると判断された場合、過去に行った前記表示画面作成ステップにて作成さ
れた作成済表示画面情報を前記端末装置に送信する表示画面情報提供ステップを行うこと
を特徴とするデータ提供方法。  
【請求項４】
前記表示画面作成ステップは、所定時間毎に表示画面情報を作成し、
前記記憶ステップは、前記表示画面作成ステップにて作成された前記表示画面情報を、
作成済表示画面情報として記憶し、
前記表示画面情報提供ステップは、前記判断ステップにより前記リクエストの受信回数
が所定の閾値を超過していると判断された場合、前記記憶ステップにて記憶した前記作成
済表示画面情報を取得し、前記端末装置に送信すること
を特徴とする請求項３記載のデータ提供方法。
【発明の詳細な説明】
【技術分野】
【０００１】
本発明の実施形態は、災害発生時等において一般公開用のデータを提供するデータ提供
装置およびデータ提供方法に関する。
【背景技術】
【０００２】
国土交通省や自治体では降雨量や河川水位を観測しており、これを防災活動に利用して
いる。またこの情報をデータ提供装置であるＷＥＢサーバを用いて情報を広く公開してい
る。これにより災害発生時には一般住民にも広く周知し、注意を促すことができる。ＷＥ
Ｂサーバにて情報公開する場合に、一般的にはユーザが要求する防災情報の表示条件（表
示対象地域、時刻等）に応じて必要な情報を取得し、表示画面を作成して提供する動的コ
ンテンツ生成方式を使用している。
【先行技術文献】
【特許文献】
【０００３】
【特許文献１】特開２００３−２４２１１０号公報
【発明の概要】
【発明が解決しようとする課題】
【０００４】
ところで、大規模災害が発生した場合など、一般ユーザからのアクセスが大幅に増加す
ることがある。この場合、従来では、一般ユーザの要求（防災情報の表示条件の指定）に
応じて、一般ユーザの端末装置に表示するための表示画面を作成し、提供するので、ＷＥ
Ｂサーバの負荷も大きくなり、応答待ち時間が長くなったり、表示画面の情報提供そのも
のができなくなる等の状態になる場合がある。またその際の一般ユーザの要求は、災害が
発生している地域や最新時刻の情報を求めることが多く、同じ要求に対する応答を繰り返
すことが多いが、従来では、同じ要求であっても、要求を受け付ける毎に、その要求に応
じて繰り返し表示画面を作成し、その表示画面情報を提供していたので、ＷＥＢサーバの
負荷が大きいとの課題がある。
【０００５】
本発明は、上述の課題を解決するために提案されたものであって、表示画面の情報提供
の要求が増大した場合でも、処理の負荷を低減し、多くの一般ユーザに情報提供を行うこ
とを可能としたデータ提供装置およびデータ提供方法を提供することを目的とする。
【課題を解決するための手段】
【０００６】
上記の目的を達成するために、本発明のデータ提供装置は、端末装置に対して防災情報
の表示画面情報を提供する
データ提供装置において、前記防災情報を記憶する記憶部と、前記記憶部に記憶された前
記防災情報に基づいて表示画面情報を作成する表示画面作成部と、前記端末装置からの前
記表示画面情報の提供を要求するリクエストを受信する通信部と、前記通信部による前記
リクエストの受信回数をカウントし、前記リクエストの受信回数が所定の閾値を超過した
か否かを判断する計測部と、前記通信部により前記リクエストが受信された際、前記リク
エストに応じて前記表示画面情報を提供する表示画面情報提供部とを備え、前記表示画面
情報提供部は、前記計数部により前記リクエストの受信回数が所定の閾値を超過しないと
判断された場合、前記表示画面作成部により前記リクエストの条件に応じて新たに作成さ
れた新規作成表示画面情報を前記端末装置に送信し、一方、前記計数部により前記リクエ
ストの受信回数が所定の閾値を超過していると判断された場合、前記表示画面作成部によ
り過去に作成された作成済表示画面情報を前記端末装置に送信すること
を特徴とする。
【０００７】
また、本発明のデータ提供装置は、前記表示画面作成部は、所定時間毎に表示画面情報
を作成し、前記記憶部は、前記表示画面作成部にて作成された前記表示画面情報を、作成
済表示画面情報として記憶し、  前記表示画面情報提供部は、前記計数部により前記リク
エストの受信回数が所定の閾値を超過していると判断された場合、前記記憶部から前記作
成済表示画面情報を取得し、前記端末装置に送信することを特徴とする。
【０００８】
また、本発明のデータ提供方法は、端末装置に対して防災情報の表示画面情報を提供す
るデータ提供方法において、前記防災情報を記憶する記憶ステップと、前記記憶ステップ
により記憶された前記防災情報に基づいて表示画面情報を作成する表示画面情報作成ステ
ップと、前記端末装置からの前記表示画面情報の提供を要求するリクエストを受信する受
信ステップと、前記受信ステップによる前記リクエストの受信回数をカウントし、前記リ
クエストの受信回数が所定の閾値を超過したか否かを判断する判断ステップと、前記受信
ステップにより前記リクエストが受信された際、前記判断ステップにより前記リクエスト
の受信回数が所定の閾値を超過しないと判断された場合、前記表示画面作成ステップにて
前記リクエストの条件に応じて新たに作成された新規作成表示画面情報を前記端末装置に
送信し、一方、前記判断ステップにより前記リクエストの受信回数が所定の閾値を超過し
ていると判断された場合、過去に行った前記表示画面作成ステップにて作成された作成済
表示画面情報を前記端末装置に送信する表示画面情報提供ステップを行うことを特徴とす
る。  
また、本発明のデータ提供方法は、前記表示画面作成ステップは、所定時間毎に表示画
面情報を作成し、前記記憶ステップは、前記表示画面作成ステップにて作成された前記表
示画面情報を、作成済表示画面情報として記憶し、前記表示画面情報提供ステップは、前
記判断ステップにより前記リクエストの受信回数が所定の閾値を超過していると判断され
た場合、前記記憶ステップにて記憶した前記作成済表示画面情報を取得し、前記端末装置
に送信することを特徴とする。
【図面の簡単な説明】
【０００９】
【図１】本実施形態のデータ提供装置の構成を示す図。
【図２】本実施形態の表示画面情報の提供処理動作を示すフローチャート。
【図３】本実施形態の表示画面の定期作成処理の動作を示すフローチャート。
【発明を実施するための形態】
【００１０】
以下、実施形態のデータ提供装置（ＷＥＢサーバ）について図面を参照して説明する。
【００１１】
図１は、本実施形態のデータ提供装置の構成を示す図である。データ提供装置３は、情
報取得部１０、記憶部１１、表示画面作成部１２、表示画面提供部１３、通信部１４を備
えている。情報取得部１０は、国土交通省や自治体等の防災情報提供装置１から通信ネッ
トワーク（第１の通信ネットワーク）２を介して送信される降雨量や河川水位等の情報（
以下、防災情報と言う）を受信し、取得する。記憶部１１は、防災情報２０、表示画面情
報（作成済表示画面情報）２１を記憶する。防災情報２０は情報取得部１０によって防災
情報提供装置１から取得されたものである。表示画面作成部１２は、記憶部１１の防災情
報２０に基づいて、表示画面情報（作成済表示画面情報）２１、表示画面情報（新規作成
表示画面情報）２２を作成する。
【００１２】
ここで、表示画面情報２１は、表示画面作成部１２により定期的に作成され、記憶部１
１に記憶されている表示画面の情報である。また、表示画面情報２２は、端末装置５から
のリクエストの受信を受け、当該リクエストに応じて、表示画面作成部１２が新たに作成
する表示画面の情報である。また、リクエストとは、端末装置５が、一般ユーザから表示
対象地域や時刻等の所望する条件の防災情報の画面表示を指示する操作が行われた場合に
、一般ユーザが要求する防災情報の表示に必要な表示画面情報の提供を要求する指令であ
り、その指令には防災情報の表示条件を示す情報が含まれている。
【００１３】
表示画面提供部１３は、端末装置５からのリクエストに応じて、表示画面情報２１、又
は、表示画面情報２２を、通信部１４を介して、リクエストの要求元の端末装置５に送信
する。通信部１４は、通信ネットワーク（第２の通信ネットワーク）４を介して、端末装
置５とデータの送受信を行うものであり、端末装置５から送信されるリクエストの受信と
、表示画面提供部１３から出力される画面情報２１、表示画面情報２２のリクエストの要
求元の端末装置５への送信を行う。
【００１４】
データ提供装置３には、複数の端末装置５が、通信ネットワーク４を介して接続されて
いる。複数の端末装置５は、一般ユーザから、表示対象地域や時刻等の所望する条件の防
災情報の画面表示を指示する操作が行われた場合、通信ネットワーク４を介して、データ
提供装置３にリクエストをそれぞれ送信し、リクエストに応答してデータ提供装置３から
送信される表示画面情報をそれぞれ受信する。そして、複数の端末装置５は、それぞれ受
信した表示画面情報に基づき表示画面を表示し、一般ユーザに防災情報を提示する。
【００１５】
次に、実施形態のデータ提供装置の動作を説明する。図２は、表示画面情報の提供処理
動作を示すフローチャートである。図３は、表示画面情報の定期作成処理の動作を示すフ
ローチャートである。
【００１６】
図２に示すように、データ提供装置３０の通信部１４は、端末装置５からのリクエスト
を受信する（ステップＳ１０）。即ち、端末装置５から通信ネットワーク４を介して、デ
ータ提供装置３にリクエストが送信されると、データ提供装置３の通信部１４は、リクエ
ストを受信し、表示画面提供部１３に出力する。アクセス数計測部１５は、通信部１４が
リクエストを受信するとアクセス数をカウントする（ステップＳ１１）。ここでアクセス
数計測部１５は、通信部１４がリクエストを受信する度に、リクエストの受信回数を示す
アクセス数を１づつ加算することで、所定の単位時間当たりのアクセス数をカウントし、
その値を保持する。そして、アクセス数計測部１５は、カウントしたアクセス数が、予め
設定されたアクセス数閾値を超過したか否かを判断し、カウントしたアクセス数がアクセ
ス数閾値を超過している場合は、表示画面提供部１３に、カウントしたアクセス数がアク
セス数閾値を超過した旨通知し、一方、アクセス数がアクセス数閾値を超過していない場
合は、表示画面提供部１３に、アクセス数がアクセス数閾値を超過していない旨通知する
（ステップＳ１２）。アクセス数閾値は、データ提供装置３の管理者により設定可能であ
る。
【００１７】
表示画面提供部１３は、通信部１４からリクエストを受け取ると、これを受け、表示画
面情報の提供処理を行う。ここでの表示画面提供部１３の提供処理は、アクセス数計測部
１５の判断結果に応じて、端末装置５に提供する表示画面情報を変更する。アクセス数計
測部１５がアクセス数閾値を超過していないと判断した場合、即ち、アクセス数計測部１
５からアクセス数がアクセス数閾値を超過していない旨の通知を受けた場合（ステップＳ
１２のＮｏ）、表示画面提供部１３は、リクエストの条件に応じた表示画面を新規に作成
するよう表示画面作成部１２に指令を出す。表示画面提供部１３の指令を受け、表示画面
作成部１２は、記憶部１１の防災情報２０を収集し、リクエストの条件に対応する表示画
面（表示画面情報２２）を作成する（ステップＳ１３）。表示画面提供部１３は、表示画
面作成部１２にて作成された表示画面情報２２を、通信部１４を介して、通信ネットワー
ク４を経由にて、リクエストの要求元である端末装置５に送信する（ステップＳ１４）。
【００１８】
一方、アクセス数計測部１５がアクセス数閾値を超過していると判断した場合、即ち、
アクセス数計測部１５からアクセス数閾値を超過している旨の通知を受けた場合（ステッ
プＳ１２のＹｅｓ）、表示画面提供部１３は、記憶部１１に記憶された作成済みの表示画
面情報（作成済表示画面情報）２１の中からリクエストの条件に一番近いものを選択、取
得する（ステップＳ１５）。そして、表示画面提供部１３は、取得した表示画面情報２２
を、通信部１４を介して、通信ネットワーク４経由にて、リクエストの要求元である端末
装置５に送信する（ステップＳ１６）。
【００１９】
ここで、表示画面情報２１は、表示画面作成部１２が定期的に作成する表示画面の情報
である。表示画面情報２１に基づき表示される表示画面は、雨量、水位などのデータ種別
の単純な表示形式（例えば、地図表示、一覧表示、経過表示）の表示画面であり、表示画
面が作成された時点での最新時刻データを含んでいる。したがって、表示画面情報２１は
、リクエストの条件（表示対象地域や時刻等）に完全に一致しない場合も有り得る。表示
画面情報２１は、図３の処理に従い、表示画面作成部１２により定期的に作成され、記憶
部１１に記憶される。即ち、表示画面作成部１２は、予め設定された所定時間が経過する
毎に、記憶部１１の防災情報２０に基づいて、予め設定された所定条件の表示画面を作成
し、作成した表示画面の情報を、表示画面情報２１として記憶部１１に記憶する（ステッ
プＳ２０、ステップＳ２１）。所定時間は、データ提供装置３の管理者により設定可能で
ある。
【００２０】
以上のように、本実施形態では、アクセス数閾値を超過している場合には、端末装置か
らのリクエストに応じた新たな表示画面の作成を行わず、既に作成済みの表示画面の中か
ら、リクエストの条件に一番近いものを選択、取得し、要求元の端末装置に送信するよう
にした。このため、大規模災害が発生した場合など、端末装置からのアクセス（即ち、リ
クエストの送信）が大幅に増加し、アクセス数閾値を超過した場合にも、多数の端末装置
に対する表示画面情報の送信時の処理負荷を低減することが可能となるため、多数の端末
装置、即ち、多数の一般ユーザに情報提供を行うことが可能である。  
本発明の１つの実施形態を説明したが、この実施形態は、例として提示したものであり
、発明の範囲を限定することは意図していない。この実施形態は、その他の様々な形態で
実施されることが可能であり、発明の要旨を逸脱しない範囲で、種々の省略、置き換え、
変更を行うことができる。これら実施形態やその変形は、発明の範囲や要旨に含まれると
同様に、特許請求の範囲に記載された発明とその均等の範囲に含まれるものである。
【符号の説明】
【００２１】
１…防災情報提供装置、２…通信ネットワーク（第１の通信ネットワーク）、３…デー
タ提供装置、４…通信ネットワーク（第２の通信ネットワーク）、５…端末装置、１０…
情報取得部、１１…記憶部、１２…表示画面作成部、１３…表示画面提供部、１４…通信
部、１５…アクセス数計数部、２０…防災情報、２１…表示画面情報（作成済表示画面情
報）、２２…表示画面情報（新規作成表示画面情報）。
【図１】
2013205997.tif 000003
【図２】
2013205997.tif 000004
【図３】
2013205997.tif 000005